(57)【要約】【課題】本発明は、基地局のサーチに係る時間又は消費電力の浪費を抑制することを可能とする携帯端末等を提供することを目的とする。【解決手段】本発明に係る携帯端末は、基地局との無線通信を介してネットワークと接続する携帯端末であって、基地局からの信号を受信する第１受信部と、第１の周波数帯域に渡って通信可能な基地局をサーチする通常サーチモードと、第１の周波数帯域より狭い第２の周波数帯域に渡って通信可能な基地局をサーチする特殊サーチモードとを有するサーチ部と、基地局に関する通信条件情報を、他の携帯端末から受信する第２受信部と、第２受信部が受信した通信条件情報に基づいて、サーチ部が特殊サーチモードで基地局をサーチするように制御する制御部と、を有する。【選択図】図１
2017169119.tif 000002
【特許請求の範囲】
【請求項１】
基地局との無線通信を介してネットワークと接続する携帯端末であって、
基地局からの信号を受信する第１受信部と、
第１の周波数帯域に渡って通信可能な基地局をサーチする通常サーチモードと、前記第１の周波数帯域より狭い第２の周波数帯域に渡って通信可能な基地局をサーチする特殊サーチモードとを有するサーチ部と、
前記基地局に関する通信条件情報を、他の携帯端末から受信する第２受信部と、
前記第２受信部が受信した通信条件情報に基づいて、前記サーチ部が前記特殊サーチモードで基地局をサーチするように制御する制御部と、
を有する携帯端末。
【請求項２】
前記通信条件情報は、前記他の携帯端末との無線通信が確立した第２基地局が実行可能な周波数の情報を含み、
前記サーチ部は、前記特殊サーチモードにおいて、前記通信条件情報に含まれる前記周波数の情報を用いて基地局をサーチする、請求項１に記載の携帯端末。
【請求項３】
前記制御部は、前記第１受信部が所定の基地局との無線通信を確立した後に前記第１受信部が前記所定の基地局からの信号を受信できなくなった場合、外部のサーバ装置から災害情報を受信した場合、又は、ユーザによる前記特殊サーチモードの設定に関する操作入力があった場合、前記サーチ部が前記特殊サーチモードで基地局をサーチするように制御する、請求項２に記載の携帯端末。
【請求項４】
前記携帯端末の電池残量を示す電池残量情報を記憶する記憶部を有し、
前記通信条件情報は、前記他の携帯端末の電池残量情報を含み、
前記サーチ部は、前記通信条件情報に含まれる前記他の携帯端末の電池残量情報より前記記憶部に記憶された電池残量情報が少なければ、前記通常サーチモードによるサーチを一定期間実行しない、請求項３に記載の携帯端末。
【請求項５】
前記通信条件情報は、前記第２基地局の周囲に配置された第３基地局の情報を更に含み、
前記サーチ部は、前記特殊サーチモードにおいて、前記通信条件情報に含まれる前記第２基地局及び第３基地局の情報を用いて基地局をサーチする、請求項２〜４のいずれか一項に記載の携帯端末。
【請求項６】
前記第２受信部は、複数の他の携帯端末のそれぞれから前記通信条件情報を受信した場合、複数の他の携帯端末のそれぞれからの信号の強度を計測し、
前記サーチ部は、前記特殊サーチモードにおいて、最も強い強度の信号を送信した他の携帯端末の前記通信条件情報に基づいて基地局をサーチする、請求項１〜５のいずれか一項に記載の携帯端末。
【請求項７】
前記通信条件情報は、前記他の携帯端末の移動状態に応じた頻度で送信される、請求項１〜６のいずれか一項に記載の携帯端末。
【請求項８】
前記特殊サーチモードによるサーチによって選択された基地局と前記携帯端末との無線通信が確立した場合、前記携帯端末との無線通信が確立した基地局に関する通信条件情報を、更に他の携帯端末に送信する送信部を有する、請求項１〜７のいずれか一項に記載の携帯端末。
【請求項９】
前記送信部は、前記他の携帯端末から受信した通信条件情報を、更に他の携帯端末に転送し、
前記通信条件情報は、当該通信条件情報を転送した携帯端末の数に基づくホップ数を含み、
前記サーチ部は、前記特殊サーチモードにおいて、ホップ数が所定数以下の前記通信条件情報を用いて基地局をサーチする、請求項８に記載の携帯端末。
【請求項１０】
第１受信部、第２受信部、サーチ部及び制御部を有し、基地局との無線通信を介してネットワークと接続する携帯端末の制御方法であって、
前記第１受信部が、基地局からの信号を受信し、
前記サーチ部が、第１の周波数帯域に渡って通信可能な基地局をサーチする通常サーチモードで基地局をサーチし、
前記第２受信部が、前記基地局に関する通信条件情報を、他の携帯端末から受信し、
前記制御部が、前記第２受信部が受信した通信条件情報に基づいて、前記サーチ部が前記第１の周波数帯域より狭い第２の周波数帯域に渡って通信可能な基地局をサーチする特殊サーチモードで基地局をサーチするように制御する、
こと含むことを特徴とする制御方法。
【請求項１１】
基地局からの信号を受信する第１受信部、他の携帯端末から情報を受信する第２受信部、基地局をサーチするサーチ部及び制御部を有し、前記基地局との無線通信を介してネットワークと接続する携帯端末の制御プログラムであって、
前記サーチ部が、第１の周波数帯域に渡って通信可能な基地局をサーチする通常サーチモードで基地局をサーチし、
前記制御部が、前記他の携帯端末から受信した前記基地局に関する通信条件情報に基づいて、前記サーチ部が前記第１の周波数帯域より狭い第２の周波数帯域に渡って通信可能な基地局をサーチする特殊サーチモードで基地局をサーチするように制御する、
ことを実行させる制御プログラム。
【発明の詳細な説明】
【技術分野】
【０００１】
本発明は、携帯端末、制御方法及び制御プログラムに関する。
【背景技術】
【０００２】
従来から、携帯端末は、基地局との無線通信を確立してネットワークと接続する際に、当該携帯端末の通信モジュールが無線通信を実行することができる周波数帯域に対応した基地局を順次サーチすることが知られている。携帯端末は、基地局のサーチを実行することにより、受信強度が最も強い信号を送信した基地局を選択し、選択された基地局との無線通信を確立させる。また、携帯端末は、基地局からの電波を受信できない場所（所謂「圏外」となる場所）に位置にする場合、携帯端末を所有するユーザが、基地局からの電波を受信できる場所（所謂「圏内」となる場所）に移動することにより、携帯端末と基地局との間の無線通信を確立させることができる。
【０００３】
例えば、特許文献１には、災害時において基地局をサーチする携帯端末について記載されている。この携帯端末は、災害の発生等で基地局が損壊した場合、基地局のサーチが長時間実行されることによる消費電力を抑制するために、節電モードで動作する。節電モードで動作する携帯端末は、基地局のサーチを所定時間繰り返し、所定時間内に基地局を見つけることができない場合、携帯端末のアンテナによって電波が感知されるまで基地局のサーチを実行しない。
【先行技術文献】
【特許文献】
【０００４】
【特許文献１】特開２０１４−３６２３３号公報
【発明の概要】
【発明が解決しようとする課題】
【０００５】
しかしながら、特許文献１に記載された携帯端末では、携帯端末のアンテナによって電波が感知された場合、携帯端末に対応する全ての周波数帯域に渡って基地局がサーチされていた。この携帯端末のサーチ対象には、災害等によって損壊し使用できない基地局も含まれるため、携帯端末の基地局のサーチに係る時間及び消費電力が浪費されていた。
【０００６】
本発明は、このような従来の課題を解決すべくなされたものであり、基地局のサーチに係る時間又は消費電力の浪費を抑制することを可能とする携帯端末、制御方法及び制御プログラムを提供することを目的とする。
【課題を解決するための手段】
【０００７】
本発明に係る携帯端末は、基地局との無線通信を介してネットワークと接続する携帯端末であって、基地局からの信号を受信する第１受信部と、第１の周波数帯域に渡って通信可能な基地局をサーチする通常サーチモードと、第１の周波数帯域より狭い第２の周波数帯域に渡って通信可能な基地局をサーチする特殊サーチモードとを有するサーチ部と、基地局に関する通信条件情報を、他の携帯端末から受信する第２受信部と、第２受信部が受信した通信条件情報に基づいて、サーチ部が特殊サーチモードで基地局をサーチするように制御する制御部と、を有する。
【０００８】
また、本発明に係る携帯端末において、通信条件情報は、他の携帯端末との無線通信が確立した第２基地局が実行可能な周波数の情報を含み、サーチ部は、特殊サーチモードにおいて、通信条件情報に含まれる周波数の情報を用いて基地局をサーチすることが好ましい。
【０００９】
また、本発明に係る携帯端末において、制御部は、第１受信部が所定の基地局との無線通信を確立した後に第１受信部が所定の基地局からの信号を受信できなくなった場合、外部のサーバ装置から災害情報を受信した場合、又は、ユーザによる特殊サーチモードの設定に関する操作入力があった場合、サーチ部が特殊サーチモードで基地局をサーチするように制御することが好ましい。
【００１０】
また、本発明に係る携帯端末において、携帯端末の電池残量を示す電池残量情報を記憶する記憶部を有し、通信条件情報は、他の携帯端末の電池残量情報を含み、サーチ部は、通信条件情報に含まれる他の携帯端末の電池残量情報より記憶部に記憶された電池残量情報が少なければ、通常サーチモードによるサーチを一定期間実行しないことが好ましい。
【００１１】
また、本発明に係る携帯端末において、通信条件情報は、第２基地局の周囲に配置された第３基地局の情報を更に含み、サーチ部は、特殊サーチモードにおいて、通信条件情報に含まれる第２基地局及び第３基地局の情報を用いて基地局をサーチすることが好ましい。
【００１２】
また、本発明に係る携帯端末において、第２受信部は、複数の他の携帯端末のそれぞれから通信条件情報を受信した場合、複数の他の携帯端末のそれぞれからの信号の強度を計測し、サーチ部は、特殊サーチモードにおいて、最も強い強度の信号を送信した他の携帯端末の通信条件情報に基づいて基地局をサーチすることが好ましい。
【００１３】
また、本発明に係る携帯端末において、通信条件情報は、他の携帯端末の移動状態に応じた頻度で送信されることが好ましい。
【００１４】
また、本発明に係る携帯端末において、特殊サーチモードによるサーチによって選択された基地局と携帯端末との無線通信が確立した場合、携帯端末との無線通信が確立した基地局に関する通信条件情報を、更に他の携帯端末に送信する送信部を有することが好ましい。
【００１５】
また、本発明に係る携帯端末において、送信部は、他の携帯端末から受信した通信条件情報を、更に他の携帯端末に転送し、通信条件情報は、当該通信条件情報を転送した携帯端末の数に基づくホップ数を含み、サーチ部は、特殊サーチモードにおいて、ホップ数が所定数以下の通信条件情報を用いて基地局をサーチすることが好ましい。
【００１６】
本発明に係る制御方法は、第１受信部、第２受信部、サーチ部及び制御部を有し、基地局との無線通信を介してネットワークと接続する携帯端末の制御方法であって、第１受信部が、基地局からの信号を受信し、サーチ部が、第１の周波数帯域に渡って通信可能な基地局をサーチする通常サーチモードで基地局をサーチし、第２受信部が、基地局に関する通信条件情報を、他の携帯端末から受信し、制御部が、第２受信部が受信した通信条件情報に基づいて、サーチ部が第１の周波数帯域より狭い第２の周波数帯域に渡って通信可能な基地局をサーチする特殊サーチモードで基地局をサーチするように制御する、こと含む。
【００１７】
本発明に係る制御プログラムは、基地局からの信号を受信する第１受信部、他の携帯端末から情報を受信する第２受信部、基地局をサーチするサーチ部及び制御部を有し、基地局との無線通信を介してネットワークと接続する携帯端末の制御プログラムであって、サーチ部が、第１の周波数帯域に渡って通信可能な基地局をサーチする通常サーチモードで基地局をサーチし、制御部が、他の携帯端末から受信した基地局に関する通信条件情報に基づいて、サーチ部が第１の周波数帯域より狭い第２の周波数帯域に渡って通信可能な基地局をサーチする特殊サーチモードで基地局をサーチするように制御する、ことを実行させる。
【発明の効果】
【００１８】
本発明に係る携帯端末、制御方法及び制御プログラムによって、基地局のサーチに係る時間又は消費電力の浪費を抑制することが可能となる。
【図面の簡単な説明】
【００１９】
【図１】通信システム１の概略を説明するための模式図である。
【図２】通信システム１の概略構成の一例を示す図である。
【図３】携帯端末２の概略構成の一例を示す図である。
【図４】通信条件情報のデータ構造の一例を示す図である。
【図５】モード制御処理の一例を示すフローチャートである。
【図６】特殊サーチ処理の一例を示す図である。
【図７】通信条件情報のデータ構造の一例を示す図である。
【図８】（ａ）は、周辺セルＩＤに対応する基地局３の概略を説明するための模式図であり、（ｂ）は、不通セルＩＤに対応する基地局３の概略を説明するための模式図である。
【図９】通信条件情報のデータ構造の一例を示す図である。
【図１０】通信条件情報の受信処理及び送信処理の概略を説明するための模式図の一例を示す図である。
【図１１】通信条件情報のデータ構造の一例を示す図である。
【図１２】通信条件情報の受信処理及び送信処理の概略を説明するための模式図である。
【図１３】通信条件情報のデータ構造の一例を示す図である。
【図１４】通信条件情報の受信処理及び送信処理の概略を説明するための模式図である。
【図１５】通信条件情報の受信処理の概略を説明するための模式図である。
【発明を実施するための形態】
【００２０】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２１】
（第１の実施形態）
通信システム１は、基地局３との無線通信を介してネットワークと接続する複数の携帯端末２を有する。携帯端末２は、例えば、「スマートフォン」と呼ばれる多機能携帯電話機又はフィーチャーフォンと呼ばれる携帯電話機であるが、データ通信専用の機器であってもよく、当該データ通信専用の機器は、携帯型でも据え置き型でもよい。
【００２２】
携帯端末２は、一又は複数のバンドの周波数帯域に渡る信号に対応する。携帯端末２が対応する周波数帯域の二重化モードは、ＴＤＤ（Time Division Duplex, 時分割複信）モードであっても、ＦＤＤ（Frequency Division Duplex, 周波数分割複信）モードであってもよい。ＴＤＤは、一つの搬送波において同一の周波数帯域を用い、周波数帯域を時間軸で細かく分割して送信処理と受信処理とを高速に切り替えて通信する方式であり、ＴＤＤモードにおける上り周波数帯域及び下り周波数帯域は、同一の周波数帯域である。ＦＤＤは、通信に用いる周波数帯域を、送信用の周波数帯域及び受信用の周波数帯域の二つに分割して、全二重通信を行う方式であり、ＦＤＤモードにおける上り周波数帯域と下り周波数帯域とは、異なる周波数帯域である。なお、携帯端末２が対応する周波数帯域は、第１の周波数帯域の一例である。以降、図１を用いて、通信システム１の概略を説明する。
【００２３】
図１は、通信システム１の概略を説明するための模式図である。
【００２４】
（１）通常サーチモード
通常、携帯端末２ａが起動された場合、携帯端末２ａは、基地局３ａから送信された信号を受信し、受信された信号に含まれる周波数帯域情報等を参照して、使用する通信帯域を決定する。そして、携帯端末２ａは、基地局３ａにより割り当てられる周波数チャネル情報に基づき、使用する信号の周波数を決定し、決定された周波数に基づいて、基地局３ａとの無線通信を確立する。
【００２５】
また、携帯端末２ａは、一又は複数の基地局３ａからの信号の受信強度のそれぞれが所定レベル未満の場合、携帯端末２ａが圏外であると判定し、基地局３ａと再接続するために通常サーチモードによって基地局３ａをサーチする。通常サーチモードによる基地局３ａのサーチでは、まず、携帯端末２ａは、これまでの接続履歴を参照し、例えば、圏外になる直前に通信していた周波数に対応する基地局３ａをサーチする。次に、携帯端末２ａは、基地局３ａをサーチできなかった場合、当該携帯端末２ａが対応するバンドの周波数帯域の全てに渡って、通信可能な基地局３（３ｂ、３ｃ、３ｄ、・・・）をサーチする。そして、携帯端末２ａは、基地局３をサーチできた場合、当該基地局３により割り当てられる周波数チャネル情報に基づき、使用する信号の周波数を決定し、決定された周波数に基づいて、基地局３との無線通信を確立する。
【００２６】
（２）災害の発生
所定の基地局３ａの通信機能が、地震等の災害の発生によって損壊し、長時間にわたり使用できなくなった場合、携帯端末２ａは、無線通信が確立していた所定の基地局３ａからの信号を受信できなくなり、圏外の状態となる。この場合、携帯端末２ａは、通常サーチモードによって基地局３をサーチせずに、特殊サーチモードによって基地局３をサーチする。
【００２７】
（３）特殊サーチモード
以下、特殊サーチモードによる基地局３のサーチについて説明する。携帯端末２ａは、無線通信が確立していた所定の基地局３ａからの信号を受信できなくなり、圏外の状態となった場合、携帯端末２ａは特殊サーチモードに遷移する。
【００２８】
ここで、所定の基地局３ａの通信機能が地震等の災害の発生によって損壊している一方、他の第２基地局３ｂの通信機能が使用可能である場合、第２基地局３ｂとの無線通信が確立している他の携帯端末２ｂが存在する。他の携帯端末２ｂは、特殊サーチモードにおいて、無線通信が確立している第２基地局３ｂに関する通信条件情報を携帯端末２ａに直接送信する。なお、携帯端末２ａと他の携帯端末２ｂとは、Ｗｉ−Ｆｉ（Wireless Fidelity, 登録商標）等の通信方式に従った無線通信又はBluetooth（登録商標）等の通信方式に従った近距離無線通信によって相互に直接無線通信、又は、Wi-Fi Aware（登録商標）、Bluetooth（登録商標）等のビーコンによる通信条件のブロードキャストを行う。また、通信条件情報は、無線通信が確立している第２基地局３ｂのセルＩＤ（identification）及び周波数の情報等を含む。なお、周波数の情報は、他の携帯端末２ｂと第２基地局３ｂとの間の無線通信が実行可能な周波数の情報である。また、セルは、基地局３からの信号を携帯端末２等が受信できる範囲である。
【００２９】
携帯端末２ａは、他の携帯端末２ｂからの通信条件情報を受信すると、受信された通信条件情報に基づく特殊サーチモードによって基地局３をサーチする。特殊サーチモードによる基地局３のサーチにおいて、例えば、携帯端末２ａは、通信条件情報に含まれるセルＩＤ及び周波数の情報に対応する第２基地局３ｂをサーチする。携帯端末２ａは、第２基地局３ｂをサーチできた場合、通信条件情報に含まれる周波数に基づいて、第２基地局３ｂとの無線通信を確立する。また、携帯端末２ａは、第２基地局３ｂをサーチできなかった場合、一定期間サーチを実行しない。
【００３０】
上述のとおり、通信システム１では、携帯端末２ａは、所定の基地局３ａからの信号を受信できなくなった場合、他の携帯端末２ｂから受信した通信条件情報に基づいて、特殊サーチモードで第２基地局３ｂをサーチするように制御する。これによって、携帯端末２ａの基地局３のサーチに係る時間又は消費電力の浪費を抑制することが可能となる。
【００３１】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００３２】
（通信システム１の概略構成）
図２は、通信システム１の概略構成の一例を示す図である。
【００３３】
通信システム１は、複数のユーザのそれぞれが所有する複数の携帯端末２（２ａ、２ｂ、・・・）を有する。複数の携帯端末２のそれぞれは、例えば、基地局３（３ａ、３ｂ、・・・）、移動体通信網４、ゲートウェイ５を介して、インターネット等のネットワーク６に接続される。また、複数の携帯端末２のそれぞれは、所定の無線規格を利用して、他の携帯端末２と相互に接続し、携帯端末２間で直接データの送受信を行うことができる。なお、所定の無線規格は、例えば、Ｗｉ−Ｆｉ（登録商標）、Wi-Fi Aware（登録商標）、Bluetooth（登録商標）等である。
【００３４】
（携帯端末２の概略構成）
図３は、携帯端末２の概略構成の一例を示す図である。
【００３５】
携帯端末２は、ネットワーク６への接続、基地局３のサーチ、所定のアプリケーションプログラムの実行等を可能とする。そのために、携帯端末２は、第１無線通信部２１と、第２無線通信部２２と、端末記憶部２３と、操作部２４と、表示部２５と、端末処理部２６とを備える。
【００３６】
なお、携帯端末２としては多機能携帯電話（所謂「スマートフォン」）を想定するが、本発明はこれに限定されない。携帯端末２は、本発明が適用可能であればよく、例えば、携帯電話（所謂「フィーチャーフォン」）、携帯情報端末（Personal Digital Assistant, PDA）、携帯ゲーム機、携帯音楽プレイヤ、タブレット端末、タブレットＰＣ、ノートＰＣ等でもよい。
【００３７】
第１無線通信部２１は、所定の周波数帯を感受帯域とするアンテナを含む、通信インターフェース回路を有し、携帯端末２をネットワーク６（図２）に接続する。第１無線通信部２１は、基地局３により割り当てられるチャネルを介して、基地局３との間でＣＤＭＡ（Code Division Multiple Access）方式等による無線信号回線を確立し、基地局３との間で通信を行う。なお、基地局３との間の通信方式は、ＣＤＭＡ方式に限定されず、Ｗ−ＣＤＭＡ（Wideband Code Division Multiple Access）方式、ＬＴＥ（Long Term Evolution）方式等の他の通信方式でもよい。また、基地局３との間の通信方式は、ＰＨＳ（Personal Handy-phone System）等の他の通信方式でもよい。そして、第１無線通信部２１は、基地局３から受信したデータを端末処理部２６に供給する。また、第１無線通信部２１は、端末処理部２６から供給されたデータを基地局３に送信する。なお、第１無線通信部２１は、第１受信部の一例である。
【００３８】
第２無線通信部２２は、Ｗｉ−Ｆｉ（登録商標）、Wi-Fi Aware（登録商標）等の通信方式に従った無線通信を行うためのインターフェース回路を有し、他の携帯端末２との間で端末間無線通信を確立させて、直接無線通信を行う。なお、第２無線通信部２２が有するインターフェース回路は、Bluetooth（登録商標）や９２０ＭＨｚ帯特定小電力無線を使った通信等の通信方式に従った近距離無線通信であってもよい。なお、第２無線通信部２２は、第２受信部の一例である。
【００３９】
端末記憶部２３は、例えば、半導体メモリを有する。端末記憶部２３は、端末処理部２６での処理に用いられるドライバプログラム、オペレーティングシステムプログラム、アプリケーションプログラム、データ等を記憶する。例えば、端末記憶部２３は、ドライバプログラムとして、第１無線通信部２１を制御する通信デバイスドライバプログラム、第２無線通信部２２を制御する無線通信デバイスドライバプログラム、操作部２４を制御する入力デバイスドライバプログラム、表示部２５を制御する出力デバイスドライバプログラム等を記憶する。また、端末記憶部２３は、オペレーティングシステムプログラムとして、ＩＥＥＥ８０２．１１規格の無線通信方式を実行する接続制御プログラム、携帯電話の接続制御プログラム等を記憶する。また、端末記憶部２３は、アプリケーションプログラムとして、ウェブページの取得及び表示を行うウェブブラウザプログラム、電子メールの送信及び受信を行う電子メールプログラム等を記憶する。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２３にインストールされてもよい。また、端末記憶部２３は、データとして、通常サーチモード及び特殊サーチモードの何れか一方が有効であることを示すサーチモード情報、他の携帯端末２から受信され及び／又は他の携帯端末２に送信される通信条件情報、及び、当該携帯端末２の電池残量を示す電池残量情報等を記憶する。
【００４０】
操作部２４は、携帯端末２の操作が可能であればどのようなデバイスでもよく、例えば、タッチパネル式の入力装置、キーパッド等である。ユーザは、このデバイスを用いて、文字、数字等を入力することができる。操作部２４は、ユーザにより操作されると、その操作に対応する信号を発生する。発生した信号は、ユーザの指示として、端末処理部２６に入力される。
【００４１】
表示部２５は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部２５は、端末処理部２６から供給される動画像データに応じた動画像、静止画像データに応じた静止画像等を表示する。
【００４２】
端末処理部２６は、一又は複数個のプロセッサ及びその周辺回路を有する。端末処理部２６は、携帯端末２の全体的な動作を統括的に制御するものであり、例えば、ＣＰＵ（Central Processing Unit）である。端末処理部２６は、携帯端末２の各種処理が端末記憶部２３に記憶されているプログラム及び操作部２４の操作からの出力等に応じて適切な手順で実行されるように、第１無線通信部２１、第２無線通信部２２、表示部２５等の動作を制御する。端末処理部２６は、端末記憶部２３に記憶されているプログラム（ドライバプログラム、オペレーティングシステムプログラム、アプリケーションプログラム等）に基づいて処理を実行する。また、端末処理部２６は、複数のプログラム（アプリケーションプログラム等）を並列に実行することができる。
【００４３】
端末処理部２６は、制御部２６１と、サーチ部２６２とを有する。端末処理部２６が有するこれらの各部は、端末処理部２６が有するプロセッサ上で実行されるプログラムによって実装される機能モジュールである。あるいは、端末処理部２６が有するこれらの各部は、独立した集積回路、マイクロプロセッサ、又はファームウェアとして携帯端末２に実装されてもよい。
【００４４】
（携帯端末２の機能）
携帯端末２ａは、他の携帯端末２ｂからの通信条件情報を受信すると、受信された通信条件情報に基づく特殊サーチモードで基地局３をサーチする。以下、携帯端末２ａの通信機能について説明する。
【００４５】
図４は、通信条件情報のデータ構造の一例を示す図である。図４に示される通信条件情報には、端末ＩＤ、確立セルＩＤ、上り周波数、下り周波数及びバンド等が含まれる。
【００４６】
端末ＩＤは、通信条件情報を送信した携帯端末２ｂを識別するための端末識別情報である。確立セルＩＤは、携帯端末２ｂが無線通信を確立した第２基地局３ｂのセルＩＤである。上り周波数及び下り周波数は、第２基地局３ｂが携帯端末２ｂと無線通信を行う際に割り当てた、送信で使用する周波数及び受信で使用する周波数である。以降、上り周波数及び下り周波数を、確立周波数の情報と称する場合がある。バンドは、携帯端末２ｂが無線通信を確立した第２基地局３ｂが対応するバンドの情報である。
【００４７】
図５は、携帯端末２ａが有する制御部２６１によるモード制御処理の一例を示すフローチャートである。モード制御処理は、通常サーチモードが有効であり且つ特殊サーチモードが無効であることを示すサーチモード情報が端末記憶部２３に記憶されている場合に限り実行される。
【００４８】
最初に、制御部２６１は、第１無線通信部２１を介して外部のサーバ装置から災害情報を受信したか否かを判定する（ステップＳ１０１）。災害情報は、災害の発生に応じて外部のサーバ装置から送信される、災害の発生を報知するための情報であり、例えば、緊急地震速報である。また、外部のサーバ装置は、気象庁のメールサーバ等の災害情報を送信するサーバ装置である。
【００４９】
制御部２６１は、外部のサーバ装置から災害情報を受信したと判定した場合（ステップＳ１０１−Ｙｅｓ）、携帯端末２ａとの通信が確立している基地局３ａに関する通信条件情報を、携帯端末２ａの端末記憶部２３に記憶する（ステップＳ１０４）。次に、制御部２６１は、ステップＳ１０４の処理の後に、後述するステップＳ１０５に処理を進める。なお、携帯端末２ａとの通信が確立している基地局３ａに関する通信条件情報は、携帯端末２ａの端末ＩＤ、基地局３ａの確立セルＩＤ、基地局３ａによって割り当てられた上り周波数及び下り周波数、並びに、基地局３ａが対応するバンド等を含む。
【００５０】
制御部２６１は、災害情報を受信していないと判定した場合（ステップＳ１０１−Ｎｏ）、第２無線通信部２２を介して他の携帯端末２ｂから通信条件情報を受信したか否かを判定する（ステップＳ１０２）。
【００５１】
制御部２６１は、他の携帯端末２ｂから通信条件情報を受信したと判定した場合（ステップＳ１０２−Ｙｅｓ）、受信された通信条件情報を、携帯端末２ａの端末記憶部２３に記憶し（ステップＳ１０４）、後述するステップＳ１０５に処理を進める。なお、ステップＳ１０４において、携帯端末２ａと基地局３ａとの通信が確立している場合、携帯端末２ａとの通信が確立している基地局３ａに関する通信条件情報を、携帯端末２ａの端末記憶部２３に記憶する。携帯端末２ａとの通信が確立している基地局３ａに関する通信条件情報は、携帯端末２ａの端末ＩＤ、基地局３ａの確立セルＩＤ、基地局３ａによって割り当てられた上り周波数及び下り周波数、並びに、基地局３ａが対応するバンドを含む。
【００５２】
制御部２６１は、他の携帯端末２ｂから通信条件情報を受信していないと判定した場合（ステップＳ１０２−Ｎｏ）、一又は複数の基地局３からの信号の受信強度のそれぞれが所定レベル未満であるか否か（圏外であるか否か）を判定する（ステップＳ１０３）。すなわち、制御部２６１は、第１無線通信部２１を介して基地局３からの信号を検知できた場合では、信号の受信強度が所定レベル未満であるか否かを判定する。また、制御部２６１は、第１無線通信部２１を介して基地局３からの信号を検知できなかった場合では、信号の受信強度が所定レベル未満であると判定する。
【００５３】
制御部２６１は、いずれかの基地局３からの信号の受信強度が所定レベル以上である（圏内である）と判定した場合（ステップＳ１０３−Ｎｏ）、ステップＳ１０１に処理を戻す。
【００５４】
制御部２６１は、一又は複数の基地局３からの信号の受信強度のそれぞれが所定レベル未満である（圏外である）と判定した場合（ステップＳ１０３−Ｙｅｓ）、モード切替ボタンがユーザによって操作入力されたか否かを判定する（ステップＳ１０５）。モード切替ボタンは、携帯端末２ａの表示部２５に表示されるボタンであって、操作部２４を介したユーザの操作入力に応じて、モード切替ボタンが選択された否かが判定される。このように、携帯端末２ａがユーザに対してモード切替ボタンの操作入力の要否を問い合わせることにより、携帯端末２ａを特殊サーチモードに設定することをユーザに確認することが可能となる。
【００５５】
制御部２６１は、モード切替ボタンがユーザによって操作入力されなかったと判定した場合（ステップＳ１０５−Ｎｏ）、ステップＳ１０１に処理を戻す。なお、ステップＳ１０４のモード切替ボタンに対するユーザの操作入力の判定に、所定の時間制限（例えば、１分以内）を設けてもよい。この場合、ステップＳ１０５において、モード切替ボタンに対するユーザの操作入力が所定の時間以内（例えば、１分以内）に行われなかった場合、自動的にステップＳ１０１に処理を戻す。
【００５６】
そして、制御部２６１は、モード切替ボタンがユーザによって操作入力されたと判定した場合（ステップＳ１０５−Ｙｅｓ）、携帯端末２ａを特殊サーチモードに設定する（ステップＳ１０６）。すなわち、制御部２６１は、端末記憶部２３に、通常サーチモードが無効であり且つ特殊サーチモードが有効であることを示すサーチモード情報を記憶することにより、携帯端末２ａを特殊サーチモードに設定する。
【００５７】
上述の図５のモード制御処理の説明のとおり、携帯端末２ａは、外部のサーバ装置から災害情報を受信した場合、他の携帯端末２ｂから通信条件情報を受信した場合、又は、携帯端末２ａが圏外である場合において、携帯端末２ａを特殊サーチモードに設定することが可能となる。なお、ステップＳ１０３において、制御部２６１が一又は複数の基地局３からの信号の信号強度のそれぞれが所定以上である（圏内である）と判定したとしても、ステップＳ１０５に処理を進めてもよい。これにより、携帯端末２ａを所有するユーザの判断だけで、携帯端末２ａは特殊サーチモードに遷移することが可能となる。
【００５８】
図６は、携帯端末２ａが有するサーチ部２６２による特殊サーチ処理の一例を示す図である。特殊サーチ処理は、携帯端末２ａが特殊サーチモードに設定された場合において携帯端末２ａによって実行される基地局３のサーチ処理である。
【００５９】
最初に、サーチ部２６２は、通信条件情報が携帯端末２ａの端末記憶部２３に記憶されているか否かを判定する（ステップＳ２０１）。サーチ部２６２は、通信条件情報が端末記憶部２３に記憶されていると判定した場合（ステップＳ２０１−Ｙｅｓ）、後述するステップＳ２０４に処理を進める。
【００６０】
サーチ部２６２は、通信条件情報が端末記憶部２３に記憶されていないと判定した場合（ステップＳ２０１−Ｎｏ）、第２無線通信部２２を介して他の携帯端末２ｂから通信条件情報を受信したか否かを判定する（ステップＳ２０２）。
【００６１】
サーチ部２６２は、他の携帯端末２ｂから通信条件情報を受信していないと判定した場合（ステップＳ２０２−Ｎｏ）、他の携帯端末２ｂから通信条件情報を受信するまで待機する。
【００６２】
サーチ部２６２は、他の携帯端末２ｂから通信条件情報を受信したと判定した場合（ステップＳ２０２−Ｙｅｓ）、受信された通信条件情報を携帯端末２ａの端末記憶部２３に記憶する（ステップＳ２０３）。
【００６３】
次に、サーチ部２６２は、端末記憶部２３に記憶されている通信条件情報に含まれる確立セルＩＤ及び確立周波数の情報に基づいて、特殊サーチモードで第２基地局３ｂをサーチする（ステップＳ２０４）。端末記憶部２３に記憶されている通信条件情報は、ステップＳ１０４（図５）及びステップＳ２０３において記憶された通信条件情報である。なお、特殊サーチモードにおいて用いられる確立周波数は、携帯端末２ａが対応する周波数帯域（第１の周波数帯域）より狭い第２の周波数帯域の一例である。
【００６４】
次に、サーチ部２６２は、ステップＳ２０４の結果、第２基地局３ｂをサーチでき、通信条件情報に含まれる確立周波数に基づいて第２基地局３ｂとの無線通信を確立したか否かを判定する（ステップＳ２０５）。
【００６５】
サーチ部２６２は、第２基地局３ｂをサーチできず、第２基地局３ｂとの無線通信を確立しなかった場合（ステップＳ２０５−Ｎｏ）、一定期間待機し（ステップＳ２０６）、ステップＳ２０２に処理を戻す。
【００６６】
サーチ部２６２は、第２基地局３ｂをサーチでき、第２基地局３ｂとの無線通信を確立した場合（ステップＳ２０５−Ｙｅｓ）、無線通信を確立した第２基地局３ｂに関する通信条件情報を作成する（ステップＳ２０７）。すなわち、サーチ部２６２は、携帯端末２ａの端末ＩＤ、第２基地局３ｂの確立セルＩＤ、第２基地局３ｂによって割り当てられた上り周波数及び下り周波数、並びに、第２基地局３ｂが対応するバンド等を含む通信条件情報を作成する。
【００６７】
そして、サーチ部２６２は、作成された通信条件情報を第２無線通信部２２を介して、更に他の携帯端末（２ｃ、２ｄ、・・・）にブロードキャスト送信し（ステップＳ２０８）、一連のステップを終了する。
【００６８】
上述のとおり、携帯端末２ａは、基地局３ａからの信号を受信できなくなった場合、他の携帯端末２ｂから受信した通信条件情報に基づいて、特殊サーチモードで基地局３をサーチする。これによって、損壊しておらず通信可能な第２基地局３ｂのみをサーチすることができ、携帯端末２ａの基地局３のサーチに係る時間又は消費電力の浪費を抑制することが可能となる。
【００６９】
なお、携帯端末２ｂのサーチ部２６２は、上述のステップＳ２０４の特殊サーチモードによる基地局３のサーチにおいて、端末記憶部２３に記憶されている通信条件情報に含まれる確立セルＩＤ及び確立周波数の情報に基づいて第２基地局３ｂをサーチした後に、通信条件情報に含まれる確立セルＩＤ及び確立周波数以外の、携帯端末２ａが対応するバンドの周波数帯域に渡ってサーチを行ってもよい。この場合、上述のステップＳ２０５において、サーチ部２６２は、第２基地局３ｂをサーチできず、第２基地局３ｂとの無線通信を確立しなかった場合、サーチできなかった第２基地局３ｂのセルＩＤ及び周波数の情報を、通信条件情報に含めて端末記憶部２３に記憶してもよい。このような通信条件情報を受信した携帯端末２ａのサーチ部２６２は、特殊サーチモードにおいて、通信条件情報に含まれる確立セルＩＤ及び確立周波数に関する第２基地局３ｂ以外の基地局３をサーチする場合、サーチできなかった第２基地局３ｂのセルＩＤ及び周波数以外の基地局３をサーチする。これにより、他の携帯端末２ｂがサーチできなかった第２基地局３ｂを除くサーチを実行することが可能となり、サーチに係る時間又は消費電力の浪費を抑制することが可能となる。
【００７０】
（第２の実施形態）
図７は、通信条件情報のデータ構造の他の一例を示す図である。図７に示される通信条件情報には、図４に示される通信条件情報に加えて、周辺セルＩＤ、不通セルＩＤ、不通上り周波数、不通下り周波数及び不通バンド等が含まれる。
【００７１】
周辺セルＩＤは、確立セルＩＤに示される第２基地局３ｂの周辺に位置する基地局３のセルＩＤである。また、不通セルＩＤは、所定の期間（例えば、災害発生時又は最初に特殊サーチモードを開始した時刻から現在時刻まで）においてサーチできなかった第２基地局３ｂのセルＩＤである。また、不通上り周波数、不通下り周波数及び不通バンド等は、所定の期間（例えば、災害発生時又は最初に特殊サーチモードを開始した時刻から現在時刻まで）においてサーチできなかった第２基地局３ｂの上り周波数、下り周波数及びバンドである。
【００７２】
図８（ａ）は、周辺セルＩＤに対応する基地局３を説明するための模式図である。
【００７３】
携帯端末２は、基地局３との無線通信を確立した場合、ハンドオーバー等で利用するため、当該基地局３に対応するセル８００の周辺セル８０１をカバーする基地局３の周辺セルＩＤを基地局３から取得する。そして、携帯端末２は、取得された周辺セルＩＤを通信条件情報に含めて携帯端末２の端末記憶部２３に記憶する。
【００７４】
他の携帯端末２ｂと無線通信が確立している第２基地局３ｂの周辺の基地局３も、携帯端末２と無線通信を確立させることができる可能性がある。したがって、携帯端末２のサーチ部２６２は、上述のステップＳ２０４の特殊サーチモードにおいて、周辺セルＩＤを含む通信条件情報に基づいて、確立セルＩＤとともに周辺セルＩＤに対応する基地局３をサーチする。これにより、携帯端末２は、第２基地局３ｂ及び無線通信ができる可能性のある基地局３（第２基地局３ｂの周囲に配置された基地局３）もサーチ対象に含めることができ、サーチに係る時間又は消費電力の浪費を抑制することが可能となる。なお、周辺セルＩＤに対応する基地局３は、第３基地局の一例である。
【００７５】
図８（ｂ）は、不通セルＩＤ、不通上り周波数、不通下り周波数及び不通バンドに対応する基地局３の概略を説明するための模式図である。
【００７６】
携帯端末２のサーチ部２６２は、通常サーチモード又は特殊サーチモードで基地局３をサーチした際に、無線通信が確立している第２基地局３ｂのセル８１０の確立セルＩＤ及び周辺セルＩＤのうち、サーチできずに無線通信を確立しなかった基地局３のセル８１１のセルＩＤを、不通セルＩＤとして通信条件情報に含めて端末記憶部２３に記憶する。また、サーチ部２６２は、サーチできなかった第２基地局３ｂの上り周波数、下り周波数及びバンドを、不通上り周波数、不通下り周波数及び不通バンドとして通信条件情報に含めて端末記憶部２３に記憶してもよい。
【００７７】
携帯端末２のサーチ部２６２は、上述のステップＳ２０４の特殊サーチモードにおいて、不通セルＩＤ、不通上り周波数、不通下り周波数及び不通バンドを含む通信条件情報に基づいて、不通セルＩＤ、不通上り周波数、不通下り周波数及び不通バンドに対応する基地局３を除く基地局３をサーチする。これにより、無線通信ができる可能性のない基地局３がサーチ対象から除かれ、サーチに係る時間又は消費電力の浪費を抑制することが可能となる。
【００７８】
なお、上述のステップＳ２０７の通信条件情報を作成する処理を実行するための条件は、第２基地局３ｂをサーチでき、第２基地局３ｂとの無線通信を確立した場合に限らない。例えば、第２基地局３ｂをサーチできず、第２基地局３ｂとの無線通信を確立しない場合であっても、サーチ部２６２は、確立セルＩＤ、確立周波数の情報、バンド及び周辺セルＩＤを含めず、第２基地局３ｂをサーチできなかったことを示す不通セルＩＤ、不通上り周波数、不通下り周波数及び不通バンド等を含む通信条件情報を作成してもよい。この場合、上述のステップＳ２０７の通信条件情報を作成する処理及びステップ２０８の通信条件情報を送信する処理を、定期的に実行してもよい。これにより、携帯端末２ａの周囲にある更に他の携帯端末２（２ｃ、２ｄ、・・・）は、定期的に通信条件情報を受信することが可能となる。
【００７９】
（第３の実施形態）
図９は、通信条件情報のデータ構造の他の一例を示す図である。図９に示される通信条件情報には、図４に示される通信条件情報に加えて、電池残量を示す電池残量情報、サーチ状況、及び、通信状況が含まれる。
【００８０】
電池残量情報は、通信条件情報を送信した携帯端末２の電池残量を示す情報である。サーチ状況は、通信条件情報を送信した携帯端末２が、通信条件情報を送信した時に、サーチ実行中の状況か、サーチが完了している状況か、又は、サーチの実行待ちの状況かを示す情報である。通信状況は、通信条件情報を送信した携帯端末２が、通信条件情報を送信した時に、圏内であるか、又は、圏外であるかを示す情報である。
【００８１】
図１０は、通信条件情報の受信処理及び送信処理の概略を説明するための模式図の一例を示す図である。
【００８２】
図１０に示される携帯端末２ａ、２ｂ及び２ｃにおいて、携帯端末２ａの電池残量は、他の携帯端末２ｂ及び２ｃよりも多い。この場合、携帯端末２ｂ及び２ｃは、基地局３のサーチを一定期間、携帯端末２ａに任せ、一定期間経過後に携帯端末２ａから送信された通信条件情報を用いて、特殊サーチモードで基地局３をサーチする。
【００８３】
携帯端末２のサーチ部２６２は、上述のステップＳ２０４の特殊サーチモードにおいて、通信条件情報に含まれる電池残量が、端末記憶部２３に記憶されている電池残量情報によって示される当該携帯端末２の電池残量よりも多いか否かを判定する。
【００８４】
図１０に示される携帯端末２ａは、他の携帯端末２ｂ及び２ｃよりも電池残量が多いため、携帯端末２ａのサーチ部２６２は、通信条件情報に含まれる確立セルＩＤ及び確立周波数の情報に基づいて基地局３をサーチする。また、携帯端末２ａのサーチ部２６２は、基地局３をサーチできなかった場合、通信条件情報に含まれる確立セルＩＤ及び確立周波数以外の、携帯端末２ａが対応するバンドの周波数帯域に渡ってサーチを行う。なお、携帯端末２ａのサーチ部２６２は、サーチの実行中において、サーチ実行中の状況を示すサーチ状況と通信状況とサーチの結果（確立セルＩＤ、確率周波数の情報、周辺セルＩＤ、不通セルＩＤ、不通上り周波数、不通下り周波数及び不通バンド等）とを含む通信条件情報を、周期的に携帯端末２ｂ及び２ｃに送信する。そして、携帯端末２ａは、サーチが全て完了すると、サーチを完了している状況を示すサーチ状況とサーチの結果（確立セルＩＤ、確率周波数の情報、周辺セルＩＤ、不通セルＩＤ、不通上り周波数、不通下り周波数及び不通バンド等）とを含む通信条件情報を、携帯端末２ｂ及び２ｃに送信する。
【００８５】
図１０に示される携帯端末２ｂ及び２ｃは、携帯端末２ａよりも電池残量が少ないため、携帯端末２ｂ及び２ｃのサーチ部２６２は、上述のステップＳ２０４を一定期間実行しない。すなわち、携帯端末２ｂ及び２ｃのサーチ部２６２は、携帯端末２ａから、サーチを完了している状況を示すサーチ状況とサーチの結果（確立セルＩＤ、確率周波数の情報、周辺セルＩＤ、不通セルＩＤ、不通上り周波数、不通下り周波数及び不通バンド等）とを含む通信条件情報を受信するまでは、上述のステップＳ２０４を実行しない。そして、携帯端末２ｂ及び２ｃのサーチ部２６２は、携帯端末２ａから受信した通信条件情報に基づいて、特殊サーチモードで基地局３をサーチする。
【００８６】
なお、携帯端末２ｂ及び２ｃのサーチ部２６２は、サーチ実行中に周期的に携帯端末２ａから送信される通信条件情報に含まれる通信状況が圏外となった場合、上述のステップＳ２０４の実行を開始してもよい。これにより、携帯端末２ａが、圏外となり、以降のサーチが不能になった場合に、携帯端末２ｂ及び２ｃの基地局のサーチを実行させることが可能となる。
【００８７】
（第４の実施形態）
図１１は、通信条件情報のデータ構造の他の一例を示す図である。図１１に示される通信条件情報には、図４に示される通信条件情報に加えて、ホップ数を示すホップ数情報が含まれる。ホップ数情報は、他の携帯端末２から受信した通信条件情報を更に他の携帯端末２に転送する場合における通信条件情報の転送数に基づくホップ数を示す情報である。
【００８８】
図１２は、通信条件情報の受信処理及び送信処理の概略を説明するための模式図である。図１２に示される携帯端末２ｂ−１、２ｂ−２、２ｂ−３、２ｂ−４の端末処理部２６は、それぞれ送信部２６３を有する。図１２に示される携帯端末２ｂ−１の送信部２６３は、他の携帯端末２ｂ−２に通信条件情報を送信した場合、他の携帯端末２ｂ−２の送信部２６３は、携帯端末２ｂ−１から受信した通信条件情報を、更に他の携帯端末２ｂ−３に転送する。この場合、送信部２６３は、通信条件情報に含まれるホップ数情報を、送信（転送）前に１ずつインクリメント（増加）してから、通信条件情報を更に次の携帯端末２に送信（転送）する。図１２に示される携帯端末２ａが、最初に送信した携帯端末２ｂ−１の通信条件情報を受信した場合、当該通信条件情報に含まれるホップ数情報には、４が記憶される。
【００８９】
携帯端末２ａのサーチ部２６２は、上述のステップＳ２０４の特殊サーチモードにおいて、通信条件情報に含まれるホップ数情報によって示されるホップ数が所定数以下である場合に限り、通信条件情報に基づいて基地局３をサーチする。これにより、転送数の多い通信条件情報に関する基地局３をサーチ対象から除くことができ、サーチに係る時間又は消費電力の浪費を抑制することが可能となる。
【００９０】
（第５の実施形態）
図１３は、通信条件情報のデータ構造の他の一例を示す図である。図１３に示される通信条件情報には、図４に示される通信条件情報に加えて、端末状況が含まれる。端末状況は、通信条件情報を送信した携帯端末２が移動中及び静止中のいずれか一方の移動状態を示す情報である。
【００９１】
図１４は、通信条件情報の受信処理及び送信処理の概略を説明するための模式図である。携帯端末２ａの制御部２６１は、端末状況が移動中である場合、更に他の携帯端末２ｃへの通信条件情報の送信頻度を所定頻度よりも高く設定する。これにより、携帯端末２ａの移動に伴い、基地局３のセルの変更が行われた場合に、新しい基地局３の情報を的確に他の携帯端末２ｃに送信することが可能になる。
【００９２】
また、携帯端末２ａの制御部２６１は、端末状況が静止中である場合、他の携帯端末２ｂからの通信条件情報の受信に応じて、更に他の携帯端末２ｃへの通信条件情報の送信頻度を変更する。例えば、携帯端末２ａの制御部２６１は、端末状況が静止中であり且つ他の携帯端末２ｂから通信条件情報を受信している場合、更に他の携帯端末２ｃへの通信条件情報の送信頻度を所定頻度より低く設定する。また、携帯端末２ａの制御部２６１は、端末状況が静止中であり且つ他の携帯端末２ｂから通信条件情報を受信していない場合、更に他の携帯端末２ｃへの通信条件情報の送信頻度を所定頻度より高く設定する。これにより、携帯端末２ａの消費電力を抑えることが可能になる。
【００９３】
（第６の実施形態）
図１５は、通信条件情報の受信処理の概略を説明するための模式図である。携帯端末２ａは、複数の他の携帯端末２ｂ及び２ｃが送信した通信条件情報のうち、他の携帯端末２ｂ及び２ｃから受信した信号の強度の高い信号を送信した他の携帯端末２ｂの通信条件情報に基づいて、特殊サーチモードで基地局３をサーチする。
【００９４】
この場合、まず、携帯端末２ａは、第２無線通信部２２を介して、複数の他の携帯端末２ｂ及び２ｃが送信した通信条件情報を受信する。次に、携帯端末２ａが有する第２無線通信部２２は、複数の他の携帯端末２ｂ及び２ｃが送信した通信条件情報を受信した場合、通信条件情報の信号の強度を計測する。次に、携帯端末２ａのサーチ部２６２は、計測された信号の強度のうち、最も強い強度の信号を判定し、当該判定された信号を送信した携帯端末２ｂを特定する。そして、サーチ部２６２は、特定された携帯端末２ｂが送信した通信条件情報に基づいて、基地局３をサーチする。
【００９５】
これにより、携帯端末２ａに最も近く位置する携帯端末２ｂからの通信条件情報を判定して、特殊サーチモードに用いることができ、基地局のサーチに係る時間又は消費電力の浪費を抑制することが可能となる。
【００９６】
なお、通信条件情報は、図４、７、９、１１及び１３のそれぞれに示される通信条件情報に含まれる各種情報の全て又は一部であってもよい。この場合、サーチ部２６２は、特殊サーチモードによる基地局３のサーチにおいて、使用する通信条件情報に含まれる各種情報に対応したサーチ処理を実行する。
【００９７】
当業者は、本発明の精神及び範囲から外れることなく、様々な変更、置換、及び修正をこれに加えることが可能であることを理解されたい。
【符号の説明】
【００９８】
１    通信システム
２，２ａ，２ｂ    携帯端末
２１    第１無線通信部
２２    第２無線通信部
２３    端末記憶部
２４    操作部
２５    表示部
２６    端末処理部
２６１    制御部
２６２    サーチ部
２６３    送信部
３，３ａ，３ｂ    基地局
４    移動体通信網
５    ゲートウェイ
６    ネットワーク
【図１】
2017169119.tif 000003
【図２】
2017169119.tif 000004
【図３】
2017169119.tif 000005
【図４】
2017169119.tif 000006
【図５】
2017169119.tif 000007
【図６】
2017169119.tif 000008
【図７】
2017169119.tif 000009
【図８】
2017169119.tif 000010
【図９】
2017169119.tif 000011
【図１０】
2017169119.tif 000012
【図１１】
2017169119.tif 000013
【図１２】
2017169119.tif 000014
【図１３】
2017169119.tif 000015
【図１４】
2017169119.tif 000016
【図１５】
2017169119.tif 000017